(57)【要約】【課題】  レンズ特性（分光透過率特性と絞り特性）の測定と書き込み作業を効率化することのできるレンズ測定機及びその制御方法を提供する。【解決手段】  被検レンズ（１１）を装着するマウント部（１）と、光束を発する光源（２）と、被検レンズを介して入射した光束、及び、被検レンズを介さずに入射した光束について、波長毎の光強度を測定する測光手段（３）と、測光出力に基づいて分光透過率を検出する分光透過率検出手段（６ｂ）と、波長毎の光強度とカメラボディ内に設けられた他の測光手段の分光特性とから輝度データを算出する輝度算出手段（６ｃ）と、被検レンズ内の絞りを複数の位置に移動させて輝度データを測定して実効絞り値を検出する実行絞り値検出手段（６ｄ）と、分光透過率と実効絞り値を、被検レンズ内に設けられた記憶手段に記憶させる記憶制御手段（６ｅ）とを具備するレンズ測定機である。【選択図】    図２
2005055397.tif 000002
【特許請求の範囲】
【請求項１】
被検レンズを装着するためのマウント部と、
測定用光束を発する光源と、
上記マウント部に装着された上記被検レンズを介して入射した上記測定用光束について、及び、上記被検レンズを介さずに入射した上記測定用光束について、波長毎の光強度を測定する測光手段と、
上記それぞれの場合における上記測光手段の出力データに基づいて、上記被検レンズの分光透過率を検出する分光透過率検出手段と、
上記測光手段の出力と、上記被検レンズが装着されるカメラボディ内に設けられた他の測光手段の分光特性とから輝度データを算出する輝度算出手段と、
上記マウント部に装着された上記被検レンズ内に設けられた絞りを、開放位置を含む複数の位置に移動させ、そのそれぞれの位置における上記輝度データに基づいて、実効絞り値を検出する実行絞り値検出手段と、
上記分光透過率検出手段の出力に基づくデータと、上記実効絞り値検出手段の出力に基づく絞り位置と実効絞り値との対応データを、上記被検レンズ内に設けられた記憶手段に記憶させる記憶制御手段と
を具備することを特徴とするレンズ測定機。
【請求項２】
上記分光透過率検出手段は、上記被検レンズを介して入射した上記測定光束の分光データと、上記被検レンズを介さずに入射した上記測定光束の分光データの比演算と、その比演算結果に対する正規化演算を行って上記分光透過率を出力することを特徴とする請求項１に記載のレンズ測定機。
【請求項３】
上記実効絞り値検出手段は、以下の式によって上記実効絞り値（ＡＶＲ）を演算する請求項１に記載のレンズ測定機。
ＡＶＲ  ＝  ＡＶ０  −  ｌｏｇ２｛Ｓ（Ｐ）／Ｓ（０）｝
ＡＶ０：上記被検レンズの設計上の開放絞り値
Ｓ（Ｐ）：絞り込み位置Ｐにおける輝度データ
Ｓ（０）：開放位置における輝度データ
【請求項４】
入射光束の分光特性データを出力可能な分光器を具備するレンズ測定機の制御方法において、
被検レンズを介さずに分光特性データを得るステップと、
上記被検レンズを介して分光特性データを得るステップと、
それぞれの分光特性データを比較して分光透過率データを演算するステップと、
上記被検レンズの絞りを開放位置を含む複数の予定絞り値に設定し、それぞれの位置における上記分光器の出力から、それぞれの絞り値における輝度データを得るステップと、
上記予定絞り値と上記それぞれの絞り値における輝度データとの対応データを作成するステップと、
上記分光透過率データと、上記対応データとを上記被検レンズ内の記憶手段に記憶させるステップと
を具備することを特徴とするレンズ測定機の制御方法。
【発明の詳細な説明】
【技術分野】
【０００１】
本発明は、レンズの特性データを測定するための技術に関し、特に分光透過率と絞り特性を測定するためのレンズ測定機及びその制御方法に関する。
【背景技術】
【０００２】
撮影レンズは、完全な無色透明ではなく、レンズの素材は固有の色（固有の分光透過率）を有し、またコーティングによっても分光透過率が変化する。そこで、電子カメラにおいて、撮影レンズの分光透過率特性などの必要な情報をレンズに持たせ、その情報に基づいて、固体撮像素子で捉えたカラー画像を補正する技術が知られている（例えば、特許文献１参照）。
【特許文献１】特開平１０−３９３６３号公報
【発明の開示】
【発明が解決しようとする課題】
【０００３】
ところで、レンズの特性には、上述の分光透過率特性とともに絞り特性がある。この絞り特性は、絞り駆動用アクチュエータの駆動量と絞り値の関係を示すもので、レンズ毎に異なる値を持つ。
【０００４】
一般に、ＣＣＤなどの固体撮像素子はフィルムに比較してラチチュードが狭いため、露光量、即ち絞り値とシャッタ秒時値を正確に制御することが必要である。従って、上述の絞り特性に関する情報もレンズ毎に持つ必要がある。
【０００５】
しかしながら、これらのレンズ特性を測定し、その情報をレンズに組み込む作業は時間を要する作業であり、また、これらのレンズ特性の測定は独立して個別に行われている。このためカメラの組立ラインの効率を向上させるためには、これらのレンズ特性の測定と情報の組み込み作業の効率化が必要である。
【０００６】
本発明は、係る事情に鑑みてなされたものであって、レンズ特性（分光透過率特性と絞り特性）の測定と書き込み作業を効率化することのできるレンズ測定機及びその制御方法を提供することを目的とする。
【課題を解決するための手段】
【０００７】
本発明に係る請求項１に記載のレンズ測定機は、被検レンズを装着するためのマウント部と、測定用光束を発する光源と、上記マウント部に装着された上記被検レンズを介して入射した上記測定用光束について、及び、上記被検レンズを介さずに入射した上記測定用光束について、波長毎の光強度を測定する測光手段と、上記それぞれの場合における上記測光手段の出力データに基づいて、上記被検レンズの分光透過率を検出する分光透過率検出手段と、上記測光手段の出力と、上記被検レンズが装着されるカメラボディ内に設けられた他の測光手段の分光特性とから輝度データを算出する輝度算出手段と、上記マウント部に装着された上記被検レンズ内に設けられた絞りを、開放位置を含む複数の位置に移動させ、そのそれぞれの位置における上記輝度データに基づいて、実効絞り値を検出する実行絞り値検出手段と、上記分光透過率検出手段の出力に基づくデータと、上記実効絞り値検出手段の出力に基づく絞り位置と実効絞り値との対応データを、上記被検レンズ内に設けられた記憶手段に記憶させる記憶制御手段とを具備する。
【０００８】
また本発明に係る請求項２に記載のレンズ測定機は、上記記載の発明であるレンズ測定機において、上記分光透過率検出手段は、上記被検レンズを介して入射した上記測定光束の分光データと、上記被検レンズを介さずに入射した上記測定光束の分光データの比演算と、その比演算結果に対する正規化演算を行って上記分光透過率を出力する。
【０００９】
また本発明に係る請求項３に記載のレンズ測定機は、上記記載の発明であるレンズ測定機において、上記実効絞り値検出手段は、以下の式によって上記実効絞り値（ＡＶＲ）を演算する。
【００１０】
ＡＶＲ  ＝  ＡＶ０  −  ｌｏｇ２｛Ｓ（Ｐ）／Ｓ（０）｝
ＡＶ０：上記被検レンズの設計上の開放絞り値
Ｓ（Ｐ）：絞り込み位置Ｐにおける輝度データ
Ｓ（０）：開放位置における輝度データ
また本発明に係る請求項４に記載のレンズ測定機の制御方法は、入射光束の分光特性データを出力可能な分光器を具備するレンズ測定機の制御方法において、被検レンズを介さずに分光特性データを得るステップと、上記被検レンズを介して分光特性データを得るステップと、それぞれの分光特性データを比較して分光透過率データを演算するステップと、上記被検レンズの絞りを開放位置を含む複数の予定絞り値に設定し、それぞれの位置における上記分光器の出力から、それぞれの絞り値における輝度データを得るステップと、上記予定絞り値と上記それぞれの絞り値における輝度データとの対応データを作成するステップと、上記分光透過率データと、上記対応データとを上記被検レンズ内の記憶手段に記憶させるステップとを具備する。
【発明の効果】
【００１１】
本発明のレンズ測定機を用いれば、レンズ特性（分光透過率特性と絞り特性）の測定とそれらの情報の書き込み作業を効率化することができる。
【発明を実施するための最良の形態】
【００１２】
［電子カメラの構成及び動作］
本発明の実施の形態に係るレンズ測定機を説明する前に、電子カメラの構成及び動作について説明する。図１は、電子カメラの構成を示すブロック図である。
【００１３】
電子カメラは、交換レンズユニット１０と、ボディーユニット３０とを備えている。そして、交換レンズユニット１０は、レンズマウント８とボディーマウント３１を介して、ボディーユニット３０に着脱可能に構成されている。
【００１４】
交換レンズユニット１０は、撮影レンズ１１、レンズモータ１２、レンズ駆動機構１３、レンズモータ駆動回路１４、フォトインタラプタ１５、絞りモータ１６、絞り駆動機構１７、絞りモータ駆動回路１８、絞り２０、切片２１、位置検知基板２２及びマイクロプロセッサ２５を備えている。
【００１５】
レンズモータ１２は、ＤＣモータで構成され、レンズ駆動機構１３を介して撮影レンズ１１の位置を前後に移動する。このレンズモータ１２の回転量は、レンズモータ１２の回転軸に設けられたフォトインタラプタ１５によってパルス信号に変換される。また、撮影レンズ１１の基準位置は、切片２１と位置検知基板２２によって構成される回路によって検知される。
【００１６】
絞りモータ１６は、ステッピングモータで構成され、絞りモータ駆動回路１８から入力されるパルス信号に従って回転し、絞り駆動機構１７を介して絞り２０の開度を制御する。
【００１７】
マイクロプロセッサ２５は、交換レンズユニット１０を統括的に制御する。即ち、レンズモータ駆動回路１４、絞りモータ駆動回路１８に駆動信号を出力すると共に、フォトインタラプタ１５からレンズモータ１２の回転量を示すパルス信号を受取り、また撮像レンズ１１の位置を検出する。さらに、マイクロプロセッサ２５は、ボディーユニット３０と信号授受を行って、交換レンズユニット１０の各部の動作を制御するための情報を受信する。
【００１８】
ボディーユニット３０には、クイックリターンミラー３２、シャッタ３３、撮像素子３４、撮像素子ＩＦ回路３５、制御部３６、画像表示部３７、データ記録部３８、操作ＳＷ３９、記憶装置４０、ペンタプリズム４１、接眼レンズ４２、測光回路４３、サブミラー４４、ＡＦセンサ４５、焦点検出回路４６、シャッタ駆動機構４７及びミラー駆動機構４８が設けられている。
【００１９】
クイックリターンミラー３２は、非撮影動作時において被写体像をペンタプリズム４１とＡＦセンサに導く。撮像素子３４は、例えばＣＣＤを用いて被写体の光像を電気信号である画像データに変換する。制御部３６は、電子カメラの動作を統括的に制御すると共に、画像データに種々の画像処理を施す。また、交換レンズユニット１０内のマイクロプロセッサ２５との通信により当該撮影レンズ１１のレンズ特性情報を獲得する。
【００２０】
画像表示部３７は、画像データを変換して液晶モニタなどに表示する。データ記録部３８は、スマートメディアなどの記録媒体に画像データを記録する。操作ＳＷ３９は、撮影者が電子カメラを操作するためのＳＷである。
【００２１】
測光回路４３は、ペンタプリズム４１からの被写体光像の一部を光電変換素子（不図示）によって受光して輝度を測定する。制御部３６はこの測定データに基づいて露出条件を算出する。ＡＦセンサ４５は、サブミラー４４によって分割された被写体像を受光する。焦点検出回路４６は、ＡＦセンサ４４の出力に基づいて合焦状態を検出する。
【００２２】
続いて、電子カメラの動作について説明する。
【００２３】
撮影者が、操作ＳＷ３９よりレリーズボタン（不図示）を一段階押し込むと、制御部３６は、測光回路４３で測定した被写体輝度のデータに基づいて適正な露出を得るための絞り値を計算し、その結果をマイクロプロセッサ２５に送信する。マイクロプロセッサ２５は、撮影レンズ１１の絞り特性に基づいて所望の絞りになるように絞りモータ１６を駆動するパルス数を制御する。
【００２４】
また、制御部３６は、焦点検出回路４６の検出結果から、合焦のための撮影レンズ１１の駆動信号をマイクロプロセッサ２５に送信する。マイクロプロセッサ２５は、レンズモータ駆動回路１４を介してレンズモータ１２を回転して撮影レンズ１１を合焦位置に移動させる。
【００２５】
撮影者が、操作ＳＷ３９よりレリーズボタン（不図示）を二段階押し込むと、制御部３６はクイックリターンミラー３２とシャッタ３３を動作させて被写体の光像を撮像素子３４に導き、撮像素子３４から得られる画像データに画像処理を施す。この際、制御部３６は、予めマイクロプロセッサ２５から受信した撮像レンズ１１の分光透過率特性に基づいて色補正等の処理を施す。
【００２６】
［レンズ測定機の構成及び動作］
次に、本発明の実施の形態に係るレンズ測定機について説明する。
【００２７】
図２は、本発明の実施の形態に係るレンズ測定機の構成を示す図である。
【００２８】
レンズ測定機は、レンズ保持冶具１、輝度箱２、分光器３、光ファイバ４、ＣＣＤインターフェース回路５、パーソナルコンピュータ（以下「ＰＣ」という）６及び通信インターフェース回路７で構成されている。
【００２９】
レンズ保持冶具１は、レンズマウント８を介して上述のレンズ交換ユニット１０を保持する。輝度箱２は、レンズ特性を測定するための光源を格納する。分光器３には、スリット３ａ、コリメイトミラー３ｂ、回折格子３ｃ、フォーカスミラー３ｄ及びＣＣＤラインセンサ３ｅが設けられており、光ファイバ４を介して導かれる光の分光強度を測定する。ＣＣＤインターフェース回路５は、測定した分光強度をＰＣ６に受け渡す。ＰＣ６は、分光器３の測定値に基づいて分光透過特性を算出し通信インターフェース７を介して交換レンズユニット１０に情報を送信する。更に、ＰＣ６は、交換レンズユニット１０から受信した絞り値と分光透過特性とに基づいてレンズの絞り特性を算出し、通信インターフェース７を介して交換レンズユニット１０に当該情報を送信する。
【００３０】
交換レンズユニット１０の構成は、図１で説明したものと同じであるため、その詳細の説明は省略し、以下同一機能を示す部分には同一の符号を付して参照する。交換レンズユニット１０内のマイクロプロセッサ２５は、ＰＣ６と信号授受を行って、ＰＣ６より送信されたレンズ特性データを内部の記憶手段であるフラッシュロム２５ａに記憶する機能を備えている。
【００３１】
図３は、ＰＣ６の構成を示す図である。
【００３２】
ＰＣ６は、入出力制御部６ａ、分光透過率検出部６ｂ、輝度算出部６ｃ、実効絞り値算出部６ｄ及び記憶制御部６ｅを備えている。
【００３３】
入出力制御部６ａは、レンズ測定機との間で情報の授受を行う情報インターフェースである。分光透過率検出部６ｂは、分光器３の測定値に基づいて撮影レンズ１１の分光透過率を演算する。輝度算出部６ｃは、分光器３の測定値に基づいて輝度データを算出する。実効絞り値算出部６ｄは、輝度データと、交換レンズユニット１０内の絞り２０の絞り値とから実効絞り値を算出する。ここで、実効絞り値とは、設計値ではなく、撮像レンズ１１が実際に持っている絞り特性値のことをいう。記憶制御部６ｅは、レンズ特性値を、交換レンズユニット１０内のマイクロプロセッサ２５に記憶させる。
【００３４】
次に、レンズ測定機の動作について説明する。
【００３５】
図４は、本実施の形態に係るレンズ測定機を用いたレンズ特性の測定・組み込み作業の概略の手順を示すフロー図であり、図５、６は、ＰＣのレンズ特性の測定・組み込み処理手順を示すフロー図である。以下、図４乃至６を参照しつつレンズ測定機の動作について説明する。
【００３６】
カメラ組み立てラインのオペレータは、レンズ交換ユニット１０を装備しない状態で、ＰＣ６内の分光透過率検出部６ｂを起動して、輝度箱２の光源の分光感度データを取り込む（Ｔ１００）。
【００３７】
光源の分光感度特性の測定が指示された場合（Ｓ２００  Ｙｅｓ）、分光透過率検出部６ｂは、分光器３からＣＣＤラインセンサ３ｅのデータを読出し（Ｓ２０３）、そのデータを撮影レンズ１１の分光透過率を測定する際に必要な基準分光データとして記憶する（Ｓ２０４）。
【００３８】
次にオペレータは、交換レンズユニット１０をレンズ保持冶具１に取り付け（Ｔ１０１）、ＰＣ６内の分光透過率検出部６ｂを起動して分光透過率を算出し、その結果を交換レンズユニット１０内に記憶させる（Ｔ１０２）。
【００３９】
光源の分光透過率特性の測定が指示された場合（Ｓ２０１  Ｙｅｓ）、分光透過率検出部６ｂは、撮影レンズを基準位置に移動させる（Ｓ２１０）。即ち、マイクロプロセッサ２５に対して撮影レンズを基準位置へ移動させる指示を出力する。マイクロプロセッサ２５は、レンズモータ１２を駆動して撮影レンズ１１を移動させ、切片２１が位置検知基板２２上の所定の位置に移動した時点で撮影レンズ１１の移動を停止する。
【００４０】
そして、分光透過率検出部６ｂは、絞りを開放位置へ設定する（Ｓ２１１）。即ち、マイクロプロセッサ２５に対して絞り２０を開放させる指示を出力する。マイクロプロセッサ２５は、絞りモータ１６にパルスを与えて回転させ、絞りを全開とする。
【００４１】
続いて、分光透過率検出部６ｂは、分光器３からＣＣＤラインセンサ３ｅのデータを読出し（Ｓ２１２）、ＣＣＤラインセンサ３ｅのデータと、ステップＳ２０４で記憶した基準分光データとの比を算出して分光透過率を算出する（Ｓ２１３）。
【００４２】
図７は、分光特性を示す図である。図７において、Ｒｅｆ（ｎ）は、輝度箱２の光源の分光特性を示し、Ｌｎｓ（ｎ）は、撮影レンズ１１を通過した光の分光特性を示している。尚、ｎはＣＣＤラインセンサ３ｅの受光エレメント番号、即ち、光の波長と対応した値である。
【００４３】
図８は、撮影レンズの分光透過率特性を示す図である。分光透過率Ｔ（ｎ）は、式（１）で表わされる。  
Ｔ（ｎ）＝  Ｌｎｓ（ｎ）／Ｒｅｆ（ｎ）      …式（１）
そして、分光透過率検出部６ｂは、図８に示す分光透過率Ｔ（ｎ）の曲線を、分光透過率表の形式に変換する。図９は、分光透過率表の例を示す図である。この表では、波長の刻みを１０ｎｍとし、透過率はその最大値（Ｔｍａｘ）をＨｅｘ表示で＃ＦＦとする規格化した値（出力比）で表わしている。
【００４４】
次に、ＰＣ６では記憶制御部６ｅが起動して算出された分光透過率の表をマイクロプロセッサ２５に送信して、内部のフラッシュロム２５ａに記憶させる（Ｓ２１４）。
【００４５】
次にオペレータは、ＰＣ６内の輝度算出部６ｃと実効絞り値算出部６ｄを起動して実効絞り値を算出し、その結果を交換レンズユニット１０内に記憶させる（Ｔ１０３）。
【００４６】
実効絞り値の測定が指示された場合（Ｓ２０２  Ｙｅｓ）、輝度算出部６ｃは、撮影レンズを基準位置に移動させる（Ｓ２２０）。即ち、マイクロプロセッサ２５に対して撮影レンズを基準位置へ移動させる指示を出力する。マイクロプロセッサ２５は、レンズモータ１２を駆動して撮影レンズ１１を移動させ、切片２１が位置検知基板２２上の所定の位置に移動した時点で撮影レンズ１１の移動を停止する。
【００４７】
そして、輝度算出部６ｃは、絞りを開放位置へ設定する（Ｓ２２１）。即ち、マイクロプロセッサ２５に対して絞り２０を開放させる指示を出力する。マイクロプロセッサ２５は、絞りモータ１６にパルスを与えて回転させ、絞りを全開とする。
【００４８】
続いて、輝度算出部６ｃは、分光器３からＣＣＤラインセンサ３ｅのデータを読出し（Ｓ２２２）、ＣＣＤラインセンサ３ｅのデータを測光センサの特性に基いて補正する（Ｓ２２３）。測光センサは、電子カメラの測光回路４３内に設置されているフォトダイオード等の光電変換素子のことである。
【００４９】
図１０の（Ａ）は、撮影レンズの分光特性と補正曲線を示す図である。補正曲線α（ｎ）は、測光センサの感度特性を用いる。補正された分光特性ＬＮＳ（ｎ）を、式（２）に従って計算する。
【００５０】
ＬＮＳ（ｎ）＝  Ｌｎｓ（ｎ）×α（ｎ）        …式（２）
そして、輝度算出部６ｃは、補正された分光特性から輝度データを算出してＰＣ６内部の記憶装置４０に記憶する（Ｓ２２４）。
【００５１】
図１０の（Ｂ）は、輝度データの算出方法を示す図である。輝度データＳ（ｐｌｓ）は、補正された分光特性ＬＮＳ（ｎ）を全波長域で積分した値である。即ち、図１０の（Ｂ）において、曲線ＬＮＳ（ｎ）の内部の面積として表わされる。ここで、ｐｌｓは、絞りを開放状態から絞っていくときの絞りモータ１６に与えるパルス数を示している。従って、Ｓ（０）は絞り開放状態における輝度を表わしている。
【００５２】
絞り２０がまだ最大位置まで絞られていない場合（Ｓ２２５  Ｎｏ）は、絞りモータ１６を所定量駆動して、絞り２０を変化させた状態で、ステップＳ２２２からステップＳ２２４の処理を繰り返して実行する。図１０の（Ｃ）は、絞りを変化させた後の輝度データを示す図である。絞りを変化させることによって、輝度データＳ（ｐｌｓ）が減少している様子が示されている。
【００５３】
絞り２０が既に最大位置まで絞られている場合（Ｓ２２５  Ｙｅｓ）は、絞りモータ１６を所定量駆動して絞り２０を基準位置まで開く（Ｓ２２７）。
【００５４】
次に、実効絞り値算出部６ｄが起動して、輝度データに基づいて実効絞り値を算出し、絞りモータ１６の駆動パルス数と実効絞り値の対応表を作成する（Ｓ２２８）。
【００５５】
実効絞り値は上述の輝度データを用いて式（３）で表わされる。  
実効絞り値＝ＡＶ０  −ｌｏｇ２｛Ｓ（ｐｌｓ）／Ｓ（０）｝      …式（３）
ここで、ＡＶ０は、絞り開放時の絞り値であり、設計値を採用する。
【００５６】
尚、式（３）は、駆動パルス数ｐｌｓに代えて上位の概念である絞り込み位置Ｐを用いて式（４）で表わすこともできる。
【００５７】
実効絞り値＝  ＡＶ０  −  ｌｏｇ２｛Ｓ（Ｐ）／Ｓ（０）｝      …式（４）
ＡＶ０：被検レンズの設計上の開放絞り値
Ｓ（Ｐ）：絞り込み位置Ｐにおける輝度データ
Ｓ（０）：開放位置における輝度データ
図１１は、絞りモータ１６の駆動パルス数と実効絞り値の対応表を示す図である。図１１の「絞り値の変化」欄には、式（３）の右辺第２項のｌｏｇ２｛Ｓ（ｐｌｓ）／Ｓ（０）｝を計算した値を記載している。また、ＡＶ０は、Ｆ＝５．６のレンズの設計値（＝５）を採用している。
【００５８】
そして、ＰＣ６では記憶制御部６ｅが起動して絞りモータ１６の駆動パルス数とそれに対応して算出された実効絞り値をマイクロプロセッサ２５に送信して、内部のフラッシュロム２５ａに記憶させる（Ｓ２２９）。
【００５９】
以上の動作により、分光透過率と実効絞り値のレンズ特性の関する情報をレンズに格納した後、オペレータは、それぞれの値が規格値内に入っているかどうかをＰＣ６の表示装置（不図示）に表示された値で判断する（Ｔ１０５、Ｔ１０６）。そして、いずれかの値が規格値を外れている場合（Ｔ１０５、Ｔ１０６  Ｎｏ）は、そのレンズを組立工程へ返却する（Ｔ１０７）。共に規格値内にある場合（Ｔ１０５、Ｔ１０６  Ｙｅｓ）は、そのレンズを次の調整工程へ送出す（Ｔ１０８）。
【００６０】
本実施の形態によれば、レンズ特性の測定作業と、そのレンズ特性情報をレンズに組み込む作業とを自動化することができるため、作業者の負担を軽減し作業の効率を高めることができる。
【００６１】
また、これらのレンズ特性の測定を一連の作業として実施できるためカメラの組立ラインの効率を向上させることができる。
【００６２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６３】
【図１】電子カメラの構成を示すブロック図。
【図２】本発明の実施の形態に係るレンズ測定機の構成を示す図。
【図３】ＰＣの構成を示す図。
【図４】レンズ測定機を用いたレンズ特性の測定・組み込み作業の概略の手順を示すフロー図。
【図５】ＰＣのレンズ特性の測定・組み込み手順を示すフロー図。
【図６】ＰＣのレンズ特性の測定・組み込み手順を示すフロー図。
【図７】分光特性を示す図。
【図８】撮影レンズの分光透過率特性を示す図。
【図９】分光透過率表を示す図。
【図１０】輝度データの算出を説明する図。
【図１１】絞りモータの駆動パルス数と実効絞り値の対応表を示す図。
【符号の説明】
【００６４】
１…レンズ保持冶具、２…輝度箱、３…分光器、３ｅ…ＣＣＤランイセンサ、６…ＰＣ、６ｂ…分光透過率検出部、６ｃ…輝度算出部、６ｄ…実効絞り値算出部、６ｅ…記憶制御部、１１…撮影レンズ、１２…レンズモータ、１６…絞りモータ、２０…絞り、２５…マイクロコンピュータ、２５ａ…フラッシュロム、４３…測光回路。
【図１】
2005055397.tif 000003
【図２】
2005055397.tif 000004
【図３】
2005055397.tif 000005
【図４】
2005055397.tif 000006
【図５】
2005055397.tif 000007
【図６】
2005055397.tif 000008
【図７】
2005055397.tif 000009
【図８】
2005055397.tif 000010
【図９】
2005055397.tif 000011
【図１０】
2005055397.tif 000012
【図１１】
2005055397.tif 000013